(57)【要約】  【課題】  電源投入時に利用者が目的とする最適な放送局を選択することができる車載用選局装置を提供すること。  【解決手段】  制御手段４は、利用者からの選局命令を受信すると、選局手段３に選局を指示するとともに、時刻位置取得手段６により現在の曜日、時刻、地域番号を取得し、選局状態が一定時間続くかを監視する。選局状態が一定時間以上続いた場合、所得した時刻を開始時刻とし、選局番号に曜日、開始時刻、地域番号を関連付けて履歴情報としてメモリ８に記憶し、電源投入時に、時刻位置取得手段６により現在の曜日、時刻、地域番号を取得し、取得した曜日と同じ曜日で、かつ取得した地域番号と同じ地域番号で、かつ取得した時刻から予め設定された時間以内に開始時刻が入る履歴情報の選局番号を選局手段３に指示して選局させる。【選択図】  図１
2006109132.tif 000002
【特許請求の範囲】
【請求項１】
放送局を選局するチューナーと、指示された選局番号に対応する放送局を前記チューナーに選局させる選局手段と、取得した現在位置が予め分割された地域のどの地域に位置するかを割り出して対応する地域番号を出力する位置取得手段と、現在の曜日及び時刻を取得する時刻取得手段と、前記選局番号及び選局時の曜日と開始時刻と前記地域番号とを含む履歴情報を記憶するメモリと、これらを制御する制御手段とを備え、前記制御手段は、利用者の要求により選局された前記放送局の前記選局番号に、選局時の曜日と開始時刻と前記地域番号とを関連付けて履歴情報として前記メモリに記憶し、電源投入時には、電源投入時の曜日と時刻と前記地域番号を取得し、同じ曜日かつ同じ地域番号かつ開始時刻が電源投入時刻の一定時間内に入る前記履歴情報の前記選局番号を前記選局手段に指示することを特徴とする車載用選局装置。
【請求項２】
前記制御手段は、設定された時間以上選局されていた前記放送局の前記選局番号についてのみ前記履歴情報を記憶することを特徴とする請求項１に記載の車載用選局装置。
【発明の詳細な説明】
【技術分野】
【０００１】
本発明は、テレビ、ラジオ等の放送局を選択する選局装置に関し、特に車両に搭載される車載用選局装置に関するものである。
【背景技術】
【０００２】
従来の選局装置は、図４に示すように、放送信号を受信するアンテナ５１と、アンテナ５１で受信した放送信号から指示された周波数の信号を出力するチューナー５２と、指示された選局番号から対応する周波数をチューナー５２に指示する選局手段５３と、視聴者の操作により入力された電源の投入や選局命令を制御手段５５に与える命令入力手段５４と、命令入力手段５４の選局命令により選局手段５３に選局する放送局の選局番号を指示するとともにミキサー５７に選局番号を出力する制御手段５５と、チューナー５２が出力する信号を処理してミキサー５７に出力する映像処理回路５６と、映像処理回路５６が出力する信号と制御手段５５が出力する選局番号を合成して出力するミキサー５７と、ミキサー５７の出力する信号を表示する表示手段５８と、電源投入直前に選局されていた選局番号を記憶するラストチャンネルメモリ５９と、時刻を管理する時計手段６０と、各曜日毎に基本時間単位に過去に選局されて視聴された選局番号を記憶した記憶テーブル６２を持つメモリ６１とを備えている。
【０００３】
このような選局装置において、メモリ６１の記憶テーブル６２には各曜日の基本時間単位（図では１時間）毎に、過去にその時間帯で選局された（選局後一定時間視聴された）選局番号が記憶されていて、電源投入時には、電源投入時の曜日と時刻に対応する記憶テーブル６２に記憶されている最新の選局番号の放送局が選局され、視聴者は電源投入時、最初に同じ曜日の同じ時間帯に一番最近視聴していた放送局を見ることができる（例えば特許文献１参照）。
【特許文献１】特開平１１−３１２９５５号公報
【発明の開示】
【発明が解決しようとする課題】
【０００４】
しかしながら、従来の選局装置においては、１時間などの基本時間単位毎に選局番号を記憶しているので、いつも見ている基本時間単位の最初から始まる番組を見ようとして、数分前に電源を投入した場合、本来見たい番組の放送局でなく、一つ前の基本時間単位で見ていた放送局が選ばれてしまうという問題があった。
【０００５】
また、車両に搭載される選局装置においては、車両が移動するので、同じ曜日の同じ時間帯でも違う場所に居ることもあり、電源投入時に選局された放送局が良好に受信できない場合もある。
【０００６】
本発明は、従来の問題を解決するためになされたもので、電源投入時に利用者が目的とする最適な放送局を選択することができる車載用選局装置を提供することを目的とする。
【課題を解決するための手段】
【０００７】
本発明の車載用選局装置は、放送局を選局するチューナーと、指示された選局番号に対応する放送局を前記チューナーに選局させる選局手段と、取得した現在位置が予め分割された地域のどの地域に位置するかを割り出して対応する地域番号を出力する位置取得手段と、現在の曜日及び時刻を取得する時刻取得手段と、前記選局番号及び選局時の曜日と開始時刻と前記地域番号とを含む履歴情報を記憶するメモリと、これらを制御する制御手段とを備え、前記制御手段は、利用者の要求により選局された前記放送局の前記選局番号に、選局時の曜日と開始時刻と前記地域番号とを関連付けて履歴情報として前記メモリに記憶し、電源投入時には、電源投入時の曜日と時刻と前記地域番号を取得し、同じ曜日かつ同じ地域番号かつ開始時刻が電源投入時刻の一定時間内に入る前記履歴情報の前記選局番号を前記選局手段に指示する構成を有している。
【０００８】
この構成により、選局された放送局の選局番号が、選局時の曜日と開始時刻と地域番号とともに履歴情報として記憶され、電源投入時に、同じ曜日かつ同じ地域番号かつ開始時刻が電源投入時刻の一定時間内に入る履歴情報の選局番号の放送局が選局される。したがって、以前同じ曜日で同じ地域で同じ時間帯で視聴又は聴取した番組を視聴又は聴取しようとして電源を投入すると、目的の放送局が選局されることとなる。
【０００９】
ここで、前記制御手段は、設定された時間以上選局されていた前記放送局の前記選局番号についてのみ前記履歴情報を記憶する構成とした。
【００１０】
この構成により、一定時間以上選局されていた放送局の選局番号についてのみ履歴情報が記憶される。したがって、選局番号を順次切り替えて目的の番組を探す行為などによる不要な履歴情報の記録を避けることができる。
【発明の効果】
【００１１】
本発明によれば、選局された放送局の選局番号を選局時の曜日と開始時刻と地域番号とともに履歴情報として記憶し、電源投入時に、同じ曜日かつ同じ地域番号かつ開始時刻が電源投入時刻の一定時間内に入る履歴情報の選局番号の放送局を選局するようにしているので、電源投入時に利用者が目的とする最適な放送局を選択することができる。
【発明を実施するための最良の形態】
【００１２】
以下、本発明の実施の形態について、図面を参照して説明する。
【００１３】
図１は本発明の一実施の形態の車載用選局装置を示す図である。
【００１４】
図１において、本実施の形態の車載用選局装置は、アンテナなどから放送信号が入力される放送信号入力手段１と、放送信号入力手段１に入力された放送信号から指示された周波数の信号を出力するチューナー２と、指示された選局番号から対応する周波数をチューナーに指示する選局手段３と、選局手段３に選局する放送局の選局番号を指示する制御手段４と、ＧＰＳ（Global Positioning System）信号が入力されるＧＰＳ信号入力手段５と、ＧＰＳ信号入力手段５に入力されたＧＰＳ信号から日時及び現在位置を取得する時刻位置取得手段６と、電源投入直前の電源切断時に選局されていた放送局の選局番号を記憶するラストチャンネルメモリ７と、過去に選局された放送局の選局番号を選局された曜日、開始時刻、終了時刻、地域番号とともに記憶するメモリ８と、チューナー２が出力する信号を処理してディスプレイやスピーカーなどの出力装置に出力する出力手段９とを備えている。
【００１５】
地域番号は、予め設定された地域毎に付与された番号であり、例えば、受信可能な放送局が異なる地域で地域を分けたり、郵便番号毎に地域を分けたり、市外局番毎に地域を分けたりするとよい。
【００１６】
このような車載用選局装置において、予め設定された時間以上選局されていた放送局の選局番号は、選局された曜日、選局が開始された時刻、選局が終了された時刻、選局されたときの位置の地域番号などとともにメモリ８に記憶されるようになっている。
【００１７】
具体的には、図２のフローチャートに示すように、制御手段４は、利用者からの選局命令を受信すると、選局手段３に選局番号を指示し（Ｓ１１）、選局番号をラストチャンネルメモリ７に記憶する（Ｓ１２）とともに、時刻位置取得手段６により現在の曜日、時刻、地域番号を取得する（Ｓ１３）。
【００１８】
選局手段３は、指示された選局番号に対応する周波数をチューナー２に指示する。チューナー２は、指示された周波数の放送信号を出力手段９に出力する。出力手段９は、入力された信号を処理して出力装置（ディスプレイやスピーカー）に出力する。
【００１９】
時刻位置取得手段６は、ＧＰＳ信号入力手段５に入力されるＧＰＳ信号により、現在の日付及び時刻と現在位置を取得し、日付から曜日を算出し、現在位置から地域番号を割り出し、曜日、時刻、地域番号を制御手段４に出力する。
【００２０】
次いで、制御手段４は、新たな選局命令を受信していないかを判定し（Ｓ１４）、新たな選局命令を受信していれば、Ｓ１１に戻って新たな選局命令に対する選局処理を行う。
【００２１】
新たな選局命令を受信していなければ、選局命令を受信してから予め設定された時間（例えば、５分）以上経過したかを判定し（Ｓ１５）、経過していなければＳ１４に戻って新たな選局命令を受信しているか判定を行う。
【００２２】
設定された時間を経過したら、選局命令受信時に取得した曜日、時刻、地域番号、選局番号の、時刻を開始時刻とし、曜日、開示時刻、地域番号、選局番号を関連付けて履歴情報としてメモリ８に記憶する（Ｓ１６）。なお、メモリ８の空き容量が不足する場合には、一番古いデータに上書きする。
【００２３】
次いで、制御手段４は、新たな選局命令を受信したかを判定する（Ｓ１７）。新たな選局命令を受信していれば、時刻位置取得手段６により現在の時刻を取得し、現在時刻を終了時刻としてメモリ８に記憶した曜日、開始時刻、地域番号、選局番号に関連付けてメモリ８に記憶する（Ｓ１８）。
【００２４】
新たな選局命令を受信していなければ、制御手段４は、電源切断命令を受信したかを判定する（Ｓ１９）。電源切断命令を受信していなければ、Ｓ１７に戻って、新たな選局命令を受信したかを判定する。
【００２５】
電源切断命令を受信していれば、時刻位置取得手段６により現在の時刻を取得し、現在時刻を終了時刻としてメモリ８に記憶した曜日、開始時刻、地域番号、選局番号に関連付けてメモリ８に記憶して（Ｓ２０）終了する。
【００２６】
このようにして、予め設定された時間（例えば、５分）の間選局された放送局の選局番号が、選局された曜日、選局の開始時刻、終了時刻、選局された地域番号とともに履歴情報として記憶される。
【００２７】
次に、このようにして記憶した曜日、開始時刻、終了時刻、地域番号、選局番号の履歴情報を利用した電源投入時の選局方法について説明する。
【００２８】
図３のフローチャートに示すように、制御手段４は、電源投入されると、時刻位置取得手段６により現在の曜日、時刻、地域番号を取得する（Ｓ３１）。
【００２９】
時刻位置取得手段６は、ＧＰＳ信号入力手段５に入力されるＧＰＳ信号により、現在の日付及び時刻と現在位置を取得し、日付から曜日を算出し、現在位置から地域番号を割り出し、曜日、時刻、地域番号を制御手段４に出力する。
【００３０】
制御手段４は、取得した曜日と同じ曜日で、かつ取得した地域番号と同じ地域番号で、かつ取得した時刻から予め設定された時間以内に開始時刻が入る履歴情報をメモリ８から検索する（Ｓ３２）。
【００３１】
次いで、制御手段４は、検索の結果一致するものがあったかを判定し（Ｓ３３）、一致する履歴情報があれば、一致した履歴情報の選局番号を選局手段３に指示して選局させる（Ｓ３４）。
【００３２】
なお、複数の履歴情報が検索された場合は、開始時刻が現在時刻に一番近いものを選択する。
【００３３】
一致するものが無ければ、ラストチャンネルメモリに記憶している選局番号を読出し、この選局番号を選局手段３に指示して選局させる（Ｓ３５）。
【００３４】
選局手段３は、指示された選局番号に対応する周波数をチューナー２に指示する。チューナー２は、指示された周波数の放送信号を出力手段９に出力する。出力手段９は、入力された信号を処理して出力装置（ディスプレイやスピーカー）に出力する。
【００３５】
このように、本実施の形態においては、ある一定時間以上選局された放送局の選局番号を、選局された曜日、選局の開始時刻、終了時刻、地域番号と関連付けて記憶し、電源投入時に現在の曜日、地域番号が一致し、かつ現在時刻から一定時間以内に開始時刻が入る履歴情報があれば、その履歴情報の選局番号の放送局に選局しているので、いつも視聴又は聴取している正時から始まる番組を視聴又は聴取しようとして、数分前に電源を投入した場合でも、目的の番組の放送局が選局され、電源投入時に利用者が目的とする最適な放送局を選択することができる。
【００３６】
また、地域番号を受信可能な放送局が異なる地域で分けておけば、同じ曜日の同じ時刻でも、地域が異なれば異なる地域番号でそれぞれ別の放送局の選局番号が記憶され、電源投入時の位置の地域番号に一致した選局番号により放送局が選局されるので、その地域で受信可能な放送局を選択させることができる。
【００３７】
また、地域番号を郵便番号毎や市外局番毎に分けておけば、車両の走行ルートにより異なる放送局の選局番号が記憶され、電源投入時に走行ルートにより異なる放送局を選局させることができる。
【００３８】
なお、本実施の形態においては、地域番号を選局開始時のもののみ記憶させるようにしたが、時刻位置取得手段６で周期的に現在位置から地域番号を確認し、地域番号が変化したら制御手段４に通知させるようにし、制御手段４で地域番号毎に同じ曜日、開始時刻、終了時刻で複数の履歴情報を記憶させるようにしてもよい。あるいは、地域番号が変わった時刻を前の地域番号での終了時刻とし、新しい地域番号では地域番号が変わった時刻を開始時刻として複数の履歴情報を記憶させるようにしてもよい。
【００３９】
また、本実施の形態においては、開始時刻が電源投入時刻以降の一定時間内のものを検索したが、電源投入時刻以前から一定時間以内のものを検索するようにしてもよく、また、電源投入時刻が開始時刻から終了時刻の間に含まれるものを検索するようにしてもよい。
【産業上の利用可能性】
【００４０】
以上のように、本発明にかかる車載用選局装置は、電源投入時に利用者が目的とする最適な放送局を選択することができるという効果を有し、車両に搭載されるテレビ、ラジオ等の放送局を選択する選局装置等として有用である。
【図面の簡単な説明】
【００４１】
【図１】本発明の一実施の形態における車載用選局装置のブロック図
【図２】本発明の一実施の形態における車載用選局装置の履歴情報記憶処理を説明するためのフローチャート
【図３】本発明の一実施の形態における車載用選局装置の電源投入時の選局処理を説明するためのフローチャート
【図４】従来の選局装置のブロック図
【符号の説明】
【００４２】
１  放送信号入力手段
２  チューナー
３  選局手段
４  制御手段
５  ＧＰＳ信号入力手段
６  時刻位置取得手段（時刻取得手段、位置取得手段）
７  ラストチャンネルメモリ
８  メモリ
９  出力手段
５１  アンテナ
５２  チューナー
５３  選局手段
５４  命令入力手段
５５  制御手段
５６  映像処理回路
５７  ミキサー
５８  表示手段
５９  ラストチャンネルメモリ
６０  時計手段
６１  メモリ
６２  記憶テーブル
【図１】
2006109132.tif 000003
【図２】
2006109132.tif 000004
【図３】
2006109132.tif 000005
【図４】
2006109132.tif 000006